(57)【特許請求の範囲】
【請求項１】
一方向の回転動作に対する力が小さく、他方向の回転動作に対して減衰力を発生させるとともに、高トルクの負荷が発生した際に破壊されるのを防止するロータリーダンパーの破壊防止機構において、
上部ハウジングと、
前記上部ハウジング内で回動自在に回転するとともに、下部に第１の圧力伝達孔を備え、下方向に付勢されている上部ロータと、
前記上部ハウジングに取り付けられ、前記上部ロータの下部との間で粘性流体が封止込められている下部ハウジングと、
前記下部ハウジング内を前記上部ロータの回転に伴って回動自在に連結され、前記第１の圧力伝達孔に連通する第２の圧力伝達孔と、前記粘性流体を正圧側から負圧側に逃がすリリーフ孔とを備えている下部ロータと、
前記下部ロータに取り付けられ、前記下部ロータの回転方向により前記粘性流体を正圧側から負圧側に逃すことができる弁体と、
前記第１および第２の圧力伝達孔から流入する粘性流体の圧力により下方に移動するリリーフ弁と、
前記リリーフ弁を支持するとともに、前記上部ロータ側に付勢されている籠型のリリーフバルブと、
から少なくとも構成されていることを特徴とするロータリーダンパーの破壊防止機構。
【請求項２】
前記リリーフ弁およびリリーフバルブは、前記上部ロータの回転により、前記粘性流体が圧縮されて軸方向に移動できることを特徴とする請求項１に記載されたロータリーダンパーの破壊防止機構。
【請求項３】
前記リリーフバルブと前記下部ロータとの間には、弾性体が設けられていることを特徴とする請求項１または請求項２に記載されたロータリーダンパーの破壊防止機構。
【請求項４】
前記弁体は、下部ロータに設けられた連通路と制御壁とによって、開弁力調節機能を有していることを特徴とする請求項１から請求項３のいずれか１項に記載されたロータリーダンパーの破壊防止機構。
【請求項５】
前記リリーフバルブは、コイルスプリングによって軸方向に支持されていることを特徴とする請求項１から請求項４のいずれか１項に記載されたロータリーダンパーの破壊防止機構。
【請求項６】
前記弁体は、前記下部ロータによって回転が可能なように支持されていることを特徴とする請求項１から請求項５のいずれか１項に記載されたロータリーダンパーの破壊防止機構。
【請求項７】
前記リリーフ弁およびリリーフバルブは、前記上部ロータに設定以上の強い回転力が加わった際に、前記第１および第２圧力伝達孔を介して流れて来る粘性流体の圧力によって軸方向に移動することを特徴とする請求項１から請求項６のいずれか１項に記載されたロータリーダンパーの破壊防止機構。
【発明の詳細な説明】
【技術分野】
【０００１】
本発明は、開く動作が容易で、かつ閉じる動作に減衰力が加わるとともに、設定以上の力が加わった場合に、ロータリーダンパーが破壊されるのを防止するロータリーダンパーの破壊防止機構に関するものである。特に、本発明は、温水洗浄装置等に使用する便座の回動軸に使用し、便蓋あるいは便座の開閉に伴う回動力を容易に制御することができるロータリーダンパーの破壊防止機構に関するものである。
【背景技術】
【０００２】
図１３は従来のロータリーダンパーを説明するための図である。図１３におけるロータリーダンパーは、対向して設けられた支持部１３９１１を備えたシリンダー１３９１と、前記支持部１３９１１、１３９１１′によって支持されるとともに所定角度だけ回転自在で、両先端部に連通路１３９２１、１３９２１′を備えた回転軸１３９２と、断面ほぼコ字状で前記シリンダー１３９１の内部対向位置に取り付けられているとともに、前記回転軸１３９２の先端部が遊嵌されている制御弁１３９３、１３９３′とから構成されている。前記制御弁１３９３、１３９３′は、ほぼコ字状の一辺に制御口１３９３１、１３９３１′と、前記制御口１３９３１、１３９３１′に対向する位置に制御壁１３９３２、１３９３２′とを備えている。また、前記シリンダー１３９１は、対向する支持部１３９１１、１３９１１′と、前記回転軸１３９２の先端部および制御壁１３９３２、１３９３２′とにより、減圧室１３９４１、加圧室１３９４２、減圧室１３９４３、加圧室１３９４４（右周りに）が構成されている（回転軸１３９２の回転方向は、図において反時計周り方向になっている）。
【０００３】
今、前記回転軸１３９２が矢印のように反時計周り方向に回転した場合、前記回転軸１３９２の先端は、前記シリンダ１３９１の制御壁１３９３２、１３９３２′に接触し、隣に設けられている加圧室１３９４２、１３９４４の圧力が高くなる。一方、前記回転軸１３９２は、前記矢印と反対方向（時計周り）に回転させる。この場合、前記回転軸１３９２の先端部は、前記制御壁１３９３２、１３９３２′と離れる。その結果、前記減圧室１３９４１、１３９４３は、前記回転軸１３９２の先端に設けられている連通路１３９２１、１３９２１′と制御口１３９３１、１３９３１′を介して油が流れ出て減圧される。前記ロータリーダンパーの詳細は、たとえば、特許第２８８２１０９号公報に記載されている。
【特許文献１】特許第２８８２１０９号公報
【発明の開示】
【発明が解決しようとする課題】
【０００４】
前記従来のロータリーダンパーは、前記回転軸１３９２、前記連通路１３９２１、１３９２１′と、前記制御弁１３９３、１３９３′、前記制御口１３９３１、１３９３１′、制御壁１３９３２、１３９３２′との肉が薄く耐久性が悪く、大きな負荷に耐えられないという問題があった、前記課題を解決するために、前記ロータリーダンパーは、全体を厚くまた大きくしなければならないという問題があった。たとえば、便座あるいは便蓋は、予め決められた狭い場所に設けなければならず、細径のものが期待されていたが実現されなかった。また、前記便座あるいは便蓋に使用するロータリーダンパーは、来客や子供のように力加減が判らない者が使用した場合、閉める際に思わず力が入り過ぎたとしても、充分な強度に耐えるロータリーダンパーがなかった。
【０００５】
以上のような課題を解決するために、本発明は、ロータリーダンパーの大きさを細くするとともに、設定以上の力が加わったとしても、壊れることがないロータリーダンパーの破壊防止機構を提供することを目的とする。
【課題を解決するための手段】
【０００６】
（第１発明）
第１発明におけるロータリーダンパーの破壊防止機構は、一方向の回転動作に対する力が小さく、他方向の回転動作に対して減衰力を発生させるとともに、高トルクの負荷が発生した際に破壊されるのを防止するものであり、上部ハウジングと、前記上部ハウジング内で回動自在に回転するとともに、下部に第１の圧力伝達孔を備え、下方向に付勢されている上部ロータと、前記上部ハウジングに取り付けられ、前記上部ロータの下部との間で粘性流体が封止込められている下部ハウジングと、前記下部ハウジング内を前記上部ロータの回転に伴って回動自在に連結され、前記第１の圧力伝達孔に連通する第２の圧力伝達孔と、前記粘性流体を正圧側から負圧側に逃がすリリーフ孔とを備えている下部ロータと、前記下部ロータに取り付けられ、前記下部ロータの回転方向により前記粘性流体を正圧側から負圧側に逃すことができる弁体と、前記第１および第２の圧力伝達孔から流入する粘性流体の圧力により下方に移動するリリーフ弁と、前記リリーフ弁を支持するとともに、前記上部ロータ側に付勢されている籠型のリリーフバルブとから少なくとも構成されていることを特徴とする。
【０００７】
（第２発明）
第２発明におけるロータリーダンパーの破壊防止機構において、第１発明のリリーフ弁およびリリーフバルブは、上部ロータの回転により、前記粘性流体が圧縮されて軸方向に移動できることを特徴とする。
【０００８】
（第３発明）
第３発明におけるロータリーダンパーの破壊防止機構において、第１発明または第２発明のリリーフバルブと前記下部ロータとの間には、弾性体が設けられていることを特徴とする。
【０００９】
（第４発明）
第４発明におけるロータリーダンパーの破壊防止機構において、第１発明から第３発明の弁体は、下部ロータに設けられた連通路と制御壁とによって、開弁力調節機能を有していることを特徴とする。
【００１０】
（第５発明）
第５発明におけるロータリーダンパーの破壊防止機構において、第１発明から第４発明のリリーフバルブは、コイルスプリングによって軸方向に支持されていることを特徴とする。
【００１１】
（第６発明）
第６発明におけるロータリーダンパーの破壊防止機構において、第１発明から第５発明の弁体は、前記下部ロータによって回転が可能なように支持されていることを特徴とする。
【００１２】
（第７発明）
第７発明におけるロータリーダンパーの破壊防止機構において、第１発明から第６発明のリリーフ弁およびリリーフバルブは、前記上部ロータに設定以上の強い回転力が加わった際に、前記第１および第２圧力伝達孔を介して流れて来る粘性流体の圧力によって軸方向に移動することを特徴とする。
【発明の効果】
【００１３】
本発明によれば、粘性流体の第１および第２圧力伝達孔を通過する際の力、および前記粘性流体のリリーフ弁およびリリーフバルブを支持している弾性体に抗して下方に押し下げる力は、軸方向であるため、ロータリーダンパーを細径にするだけでなく、設定以上の力による破壊を防止することができる。また、前記粘性流体は、リリーフ弁およびリリーフバルブによって、圧縮されずに正圧側から負圧側に流れるため、設定以上の力によっても破壊されない。
【００１４】
本発明によれば、前記ロータリーダンパーの破壊防止機構は、前記粘性流体の力を径方向より、軸方向のバネと対抗するような構成になっているため、全体の構成を小径にすることができ、便座あるいは便蓋のような狭い場所に設置したり、無理な力が加わっても破壊しない構造になっている。
【００１５】
本発明によれば、設定値以上の高トルクの負荷が発生しても、ロータリーダンパーが破壊しない破壊防止機構である。また、本発明におけるロータリーダンパーの破壊防止機構は、上部ロータ、リリーフ弁、リリーフバルブ、下部ロータ、弁体等の機械要素を複数に分け、粘性流体の力を軸方向に伝えるとともに、径方向にも逃げられるような構成にしてあるため、一つ一つの機械要素の強度を上げることなく、全体の強度を保持することができ、同時に、全体を小型化することができた。すなわち、本発明におけるロータリーダンパーの破壊防止機構は、設定以上の力がロータリーダンパーに加わった場合、一つの機械要素で受けることなく、多くの機械要素が分散して受けるため、破壊されるのを防止することが容易にできる。
【発明を実施するための最良の形態】
【００１６】
（第１発明）
第１発明のロータリーダンパーの破壊防止機構は、一方向の回転動作に対する力を小さくし、他方向の回転動作に対する減衰力を発生させて、前記回転動作を強くするとともに、高トルクの負荷が発生した際に前記ロータリーダンパーが破壊されるのを防止するものである。前記ロータリーダンパーの破壊防止機構は、上部ロータが設けられている上部ハウジングと、前記上部ハウジングと結合する下部ハウジングとから構成されている。前記上部ハウジングの内部には、回転動作により回転する上部ロータが設けられている。前記下部ハウジングの内部には、下部ロータと、弁体と、リリーフ弁と、リリーフバルブとが組み立てられて挿入されている。前記上部ロータは、前記上部ハウジング内で回動自在に回転するとともに、下部に第１の圧力伝達孔を備え、バネ、たとえば、トーションスプリングによって回転方向の力を援助している。前記下部ロータは、前記下部ハウジングに取り付けられ、前記下部ハウジングの下部との間で粘性流体が封止込められている。
【００１７】
前記下部ロータは、前記下部ハウジング内を前記上部ロータの回転に伴って所定の角度回動自在に連結され、前記第１の圧力伝達孔に連通する第２の圧力伝達孔を備えている。前記弁体は、前記下部ロータに取り付けられ、可撓性を有するため、前記下部ロータの回転方向と前記粘性流体の粘性とにより、正圧側から負圧側に逃すことができる構造になっている。前記リリーフ弁は、前記第１および第２の圧力伝達孔から流入する粘性流体の圧力を受けることにより下方（軸方向）に移動する。前記リリーフバルブは、前記リリーフ弁を弾性体により支持するとともに、前記上部ロータ側に付勢されている。
【００１８】
前記ロータリーダンパーの破壊防止機構は、前記上部ロータを一方向に回転動作させた場合、前記弁体と下部ロータとの間に連通路が形成されて下部ロータと下部ハウジングとによって形成される圧力室の圧力が低下して、容易に回転が行われる。また、前記ロータリーダンパーの破壊防止機構は、前記上部ロータを他方向に回転動作させた場合、前記弁体と下部ロータとの間で粘性流体が流通しないようになるため、下部ロータと下部ハウジングとによって形成される圧力室の圧力が高くなる。
【００１９】
その結果、前記粘性流体は、第１および第２圧力伝達孔を通過し、リリーフ弁およびリリーフバルブを前記弾性体に抗して下方に押し下げる。前記粘性流体の第１および第２圧力伝達孔を通過する際の力、および前記粘性流体のリリーフ弁およびリリーフバルブを支持している弾性体に抗して下方に押し下げる力は、前記ロータリーダンパーの破壊を防止することができる。前記ロータリーダンパーの破壊防止機構は、前記粘性流体の力を径方向より、軸方向の弾性体に対してより多く対抗するような構成になっているため、全体の構成を細径にすることができる。
【００２０】
（第２発明）
第２発明のロータリーダンパーの破壊防止機構は、第１発明の上部ロータの回転により前記リリーフ弁およびリリーフバルブが、前記第１および第２圧力伝達孔を通過した前記粘性流体の力で軸方向に移動する。前記リリーフ弁およびリリーフバルブは、上部ロータの回転により軸方向に移動することで、ロータリーダンパーの破壊を防止するため、ロータリーダンパーの破壊防止機構を細径とすることができる。
【００２１】
（第３発明）
前記リリーフバルブと前記下部ロータとの間には、弾性体が設けられており、上部ロータとリリーフ弁との間で所定の力が保持されている。前記上部ロータを他方向に回転させる場合、前記所定の力は、他方向の回転動作に対する減衰力を発生させる。前記所定の力は、それ以上になった場合、前記リリーフバルブを軸方向に押し、前記上部ロータと前記リリーフバルブとの間から粘性流体が逃げることにより、前記ロータリーダンパーの破壊が防止される。
【００２２】
（第４発明）
第４発明におけるロータリーダンパーの破壊防止機構は、前記下部ロータに設けられた弁体と、下部ロータの外周面に設けられた連通路と制御壁とによって、開弁力調節機能を有している。前記弁体は、前記制御壁に接触している間、下部ハウジング内の粘性流体を圧縮し、前記連通路側にある場合、下部ハウジング内の粘性流体を減圧する。前記開弁力調節機能は、可撓性を備えた前記弁体と、前記下部ハウジングの内周面との摩擦により、効果的に達成される。
【００２３】
（第５発明）
第５発明におけるロータリーダンパーの破壊防止機構は、リリーフバルブが籠型の筒状であるため、コイルスプリングによって軸方向に支持されている。前記リリーフバルブは、前記リリーフ弁を収納する部分の裏側がコイルスプリングを収納する部分に好適である。
【００２４】
（第６発明）
第６発明におけるロータリーダンパーの破壊防止機構は、前記弁体が前記下部ロータの下部に取り付けられ、前記下部ロータの回転によって、下部ロータの周面に設けられた制御壁または連通路との間で弁機構が構成されている。
【００２５】
（第７発明）
第７発明のロータリーダンパーの破壊防止機構は、前記上部ロータに設定以上の強い回転力が加わった際に、前記第１および第２圧力伝達孔を介して流れて来る粘性流体の圧力が前記リリーフ弁およびリリーフバルブの上部に加わることによって軸方向に移動する。本発明のロータリーダンパーの破壊防止機構は、粘性流体を前記軸方向に移動させるような機構にしたため、細径とすることができた。
【実施例】
【００２６】
図１は本発明の実施例で、ロータリーダンパーの破壊防止機構の組みたて方を説明するための斜視図である。図１において、ロータリーダンパーは、上部ハウジング１１と、上部ロータ１２と、リリーフ弁１３と、リリーフバルブ１４と、下部ロータ１５と、弁体１６と、下部ハウジング１７とが図示のような順序で組み立てられている。前記上部ロータ１２は、上部ハウジング１１に対して、第１のＯリング１８１と第２のＯリング１８２によりシールされると同時に、前記各Ｏリングの間にトーションスプリング１８を設け、前記トーションスプリング１８によって下方向に付勢されている。また、リリーフバルブ１４は、弾性体１９によって、上方向に付勢されるように下部ロータ１５内に設けられている。前記ロータリーダンパーにおける上下は、図に対するものであり、設置する場合、水平方向等、向きが変わることがある。前記トーションスプリング１８は、係合部１８３を上部ハウジング１１の図示されていない係合孔に、また、他方の係合部１８４を上部ロータ１２の図示されていない係合孔に係合させることにより、固定されて回転方向の力を保持することだできる。
【００２７】
図２は本発明の実施例で、（ａ）は上部ハウジングの平面図、（ｂ）は上部ハウジングの側面図、（ｃ）は上部ハウジングの底面図、（ｄ）は上部ハウジングの断面図である。図２（ａ）から（ｄ）において、上部ハウジング１１は、側部に、たとえば、便座あるいは弁蓋等を取り付ける機器固定部１１１と、前記上部ロータ１２を挿入する上部ロータ受入口１１２と、下方に前記下部ハウジング１７を取り付ける下部ハウジング取付部１１３と、前記下部ハウジング１７を取り付けた際に離れないようにする下部ハウジング取付凹部１１４とから構成されている。前記下部ハウジング１７は、前記上部ハウジング１１の下部取付部１１３に嵌合された後、下部ハウジング１７の凸起部が前記下部ハウジング取付凹部１１４に嵌合または溶着することにより固定される。
【００２８】
図３は本発明の実施例で、（ａ）は上部ロータの平面図、（ｂ）は上部ロータの側面図、（ｃ）は上部ロータの底面図、（ｄ）は上部ロータの断面図である。図３（ａ）から（ｄ）において、上部ロータ１２は、第１のＯリング１８１が嵌合する第１のＯリング挿入溝１２１と、第２のＯリング１８２が嵌合する第２のＯリング挿入溝１２２と、下部に第１の圧力伝達孔１２３を備えた、たとえば、六角形の下部ロータ取付部１２４と、肉抜き部１２５とを備えている。
【００２９】
図４は本発明の実施例で、（ａ）はリリーフ弁の平面図、（ｂ）はリリーフ弁の側面図、（ｃ）はリリーフ弁の底面図、（ｄ）はリリーフ弁の断面図である。図４（ａ）から（ｄ）において、リリーフ弁１３は、上部中央に上部ロータ受部１３１と、前記上部ロータ受部１３１の周囲に設けられたフランジ１３２と、下部に後述するリリーフバルブ１４に取り付けるための取付部１３３とを備えている。
【００３０】
図５は本発明の実施例で、（ａ）はリリーフバルブの平面図、（ｂ）はリリーフバルブの側面図、（ｃ）はリリーフバルブの底面図、（ｄ）はリリーフバルブ異なる方向から見た側面図、（ｅ）はリリーフバルブの断面図である。図５（ａ）から（ｅ）において、リリーフバルブ１４は、円錐状のリリーフ弁取付部１４１と、前記リリーフ弁取付部１４１の先端で、周囲方向に突出するように設けられた誤組み防止爪１４２を備えた複数の摺動用リブ１４３と、前記摺動用リブ１４３に取り付けられた下部リング１４５とからなり、籠型に成形されている。また、前記円錐状のリリーフ弁取付部１４１は、前記リリーフ弁１３が嵌合し易い形状になっている。前記リリーフ弁取付部１４１、摺動用リブ１４３、下部リング１４５は、別体または一体に成形することができる。前記摺動用リブ１４３は、下部ロータ１５の内部において、弾性体１９に抗して上下（軸方向）に摺動し易い形状になっている。
【００３１】
図６は本発明の実施例で、（ａ）は下部ロータの平面図、（ｂ）は下部ロータの側面図、（ｃ）は下部ロータの異なる方向から見た側面図、（ｄ）は下部ロータの底面図、（ｅ）は下部ロータの断面図である。図６（ａ）から（ｅ）において、前記下部ロータ１５は、内部にリリーフバルブ挿入部１５１と、両側部に対照的に設けられた制御壁１５２および連通路１５３と、上部に対照的に設けられた第２の圧力伝達孔１５４と、内部の粘性流体を逃がすリリーフ孔１５６と、下部に弁体１６を取り付ける取付凹部１５７および弁体取付部１５８と、上部ロータ１２が嵌合する嵌合部１５９とから構成されている。前記制御壁１５２および連通路１５３は、後述する弁体１６とによって弁作用を行うように、前記下部ロータ１５の深さ方向の長さを有する。また、前記リリーフ孔１５６は、対照的に減圧室側に設けられ、下部ハウジング１７に粘性流体を逃すことができる。前記嵌合部１５９は、たとえば、六角形の凹部からなり、上部ロータ１２が嵌合し、前記上部ロータ１２の回動にしたがって回動される。
【００３２】
図７は本発明の実施例で、（ａ）は弁体の平面図、（ｂ）は弁体の側面図、（ｃ）は弁体の異なる方向から見た側面図である。図７（ａ）から（ｃ）において、前記弁体１６は、下方に前記下部ロータ１５の下部に嵌合する環状の取付部１６１と、前記取付部１６１から対照的に側方に延びるレバー１６５に取り付けられ、上方に延び、制御面１６２および連通面１６３と、前記下部ロータ１５の取付凹部１５７に嵌合する取付凸部１６４とから構成されている。前記制御面１６２および連通面１６３は、断面がほぼ数字の「７」に近い形状であり、長い辺が制御壁１５２に面接触し、短い辺の一端が下部ハウジング１７の内壁に接するような構成になっている。また、前記制御面１６２および連通面１６３は、前記下部ロータ１５の深さ方向の長さを有する。
【００３３】
図８は本発明の実施例で、（ａ）は下部ハウジングの平面図、（ｂ）は下部ハウジングの側面図、（ｃ）は下部ハウジングの断面図である。図８（ａ）から（ｃ）において、前記下部ハウジング１７は、前記リリーフ弁１３、リリーフバルブ１４、下部ロータ１５、および弁体１６を収納するとともに、ストッパー１７１と、スプリング取付溝１７２と、下部ロータ取付溝１７３と、上部ハウジング１１の下部に設けられている下部ハウジング取付凹部１１４に嵌合する取付凸部１７４とから構成されている。また、前記ストッパー１７１は、前記下部ロータ１５が回転し過ぎるのを防止するためのものである。
【００３４】
図９は本発明の実施例で、ロータリーダンパーを組み立てた状態を説明するための図である。図９におけるロータリーダンパーは、上部ハウジング１１、上部ロータ１２、リリーフ弁１３、リリーフバルブ１４、下部ロータ１５、弁体１６、下部ハウジング１７等が組み立てられている。図９で示す状態は、弾性体１９の圧力が強く、リリーフ弁１３が上部ロータ１２の下面と接触している状態である。
【００３５】
図１０は本発明の実施例で、ロータリーダンパーの破壊防止機構を説明するための図である。図１０に示されているロータリーダンパーの破壊防止機構は、第１の圧力伝達孔１２３および第２の圧力伝達孔１５４から流入した粘性流体の圧力が弾性体１９の圧力より大きい状態であり、前記粘性流体が下部ハウジング１７の径方向に逃げることにより、破壊が防止される。
【００３６】
図１１は本発明の実施例で、上部ロータを反時計方向に回転させた場合の弁体の状態を説明するための図である。図１１において、上部ロータ１２を反時計方向に回転した場合、弁体１６の制御面１６２は、下部ロータ１５の制御壁１５２と接触し、加圧室１１１１における粘性流体の圧力を高める。前記加圧室１１１１における粘性流体は、第２の圧力伝達孔１５４および第１の圧力伝達孔１２３（図１０参照）を通り、リリーフ弁１３を下方（軸方向）に押し下げる。前記軸方向の圧力は、弾性体１９、たとえば、コイルスプリングの力に逆らってリリーフ弁１３およびリリーフバルブ１４を下方（軸方向）に押し下げ（図１０に示す状態）、加圧室１１１１の粘性流体を減圧室１１１２の方に流すことにより、設定以上の圧力を緩和させることができ、ロータリーダンパーの破壊を防止する。
【００３７】
図１２は本発明の実施例で、上部ロータを時計方向に回転させた場合の弁体の状態を説明するための図である。図１２において、上部ロータ１２を時計方向に回転した場合、弁体１６の制御面１６２は、下部ロータ１５の制御壁１５２から離れ、加圧室１１１１における粘性流体が減圧室１１１２の方向に流れ、加圧室１１１１の圧力が低減する。以上のように、本発明のロータリーダンパーの破壊防止機構は、粘性流体の圧力を軸方向に伝達するような構成になっているため、細径であるとともに、小型にすることができた。また、本発明のロータリーダンパーは、前記リリーフ弁１３、リリーフバルブ１４、下部ロータ１５、弁体１６の個々が粘性流体により動くことができるため、一つ一つの機械要素の強度が弱くても、設定以上の力を分散することができる。
【００３８】
以上、本発明の実施例を詳述したが、本発明は、前記実施例に限定されるものではない。そして、本発明は、特許請求の範囲に記載された事項を逸脱することがなければ、種々の設計変更を行うことが可能である。図１から図１２の各部を構成する機械要素そのものは、材質および形状を公知または周知のものに変えることができる。また、実施例は、便座まはた便蓋について説明したが、その他の機器にも適用できることはいうまでもないことである。
【図面の簡単な説明】
【００３９】
【図１】本発明の実施例で、ロータリーダンパーの破壊防止機構の組みたて方を説明するための斜視図である。（実施例１）
【図２】本発明の実施例で、（ａ）は上部ハウジングの平面図、（ｂ）は上部ハウジングの側面図、（ｃ）は上部ハウジングの底面図、（ｄ）は上部ハウジングの断面図である。
【図３】本発明の実施例で、（ａ）は上部ロータの平面図、（ｂ）は上部ロータの側面図、（ｃ）は上部ロータの底面図、（ｄ）は上部ロータの断面図である。
【図４】本発明の実施例で、（ａ）はリリーフ弁の平面図、（ｂ）はリリーフ弁の側面図、（ｃ）はリリーフ弁の底面図、（ｄ）はリリーフ弁の断面図である。
【図５】本発明の実施例で、（ａ）はリリーフバルブの平面図、（ｂ）はリリーフバルブの側面図、（ｃ）はリリーフバルブの底面図、（ｄ）はリリーフバルブ異なる方向から見た側面図、（ｅ）はリリーフバルブの断面図である。
【図６】本発明の実施例で、（ａ）は下部ロータの平面図、（ｂ）は下部ロータの側面図、（ｃ）は下部ロータの異なる方向から見た側面図、（ｄ）は下部ロータの底面図、（ｅ）は下部ロータの断面図である。
【図７】本発明の実施例で、（ａ）は弁体の平面図、（ｂ）は弁体の側面図、（ｃ）は弁体の異なる方向から見た側面図である。
【図８】本発明の実施例で、（ａ）は下部ハウジングの平面図、（ｂ）は下部ハウジングの側面図、（ｃ）は下部ハウジングの断面図である。
【図９】本発明の実施例で、ロータリーダンパーを組み立てた状態を説明するための図である。
【図１０】本発明の実施例で、ロータリーダンパーの破壊防止機構を説明するための図である。
【図１１】本発明の実施例で、上部ロータを反時計方向に回転させた場合の弁体の状態を説明するための図である。
【図１２】本発明の実施例で、上部ロータを時計方向に回転させた場合の弁体の状態を説明するための図である。
【図１３】従来のロータリーダンパーを説明するための図である。
【符号の説明】
【００４０】
１１・・・上部ハウジング
１１１・・・機器固定部
１１２・・・上部ロータ受入口
１１３・・・下部ハウジング取付部
１１４・・・下部ハウジング取付凹部
１２・・・上部ロータ
１２１・・・第１のＯリング挿入溝
１２２・・・第２のＯリング挿入溝
１２３・・・第１の圧力伝達孔
１２４・・・下部ロータ取付部
１２５・・・肉抜き孔
１３・・・リリーフ弁
１３１・・・上部ロータ受入部
１３２・・・フランジ
１３３・・・取付部
１４・・・リリーフバルブ
１４１・・・リリーフ弁取付部
１４２・・・誤組み防止爪
１４３・・・摺動用リブ
１４４・・・スプリング取付部
１５・・・下部ロータ
１５１・・・リリーフバルブ挿入部
１５２・・・制御壁
１５３・・・連通路
１５４・・・第２の圧力伝達孔
１５６・・・リリーフ孔
１５７・・・取付凹部
１５８・・・弁体取付部
１６・・・弁体
１６１・・・取付部
１６２・・・制御面
１６３・・・連通面
１６４・・・取付凸部
１７・・・下部ハウジング
１７１・・・ストッパー
１７２・・・スプリング取付溝
１７３・・・下部ロータ取付溝
１７４・・・取付凸部
１８・・・トーションスプリング
１８１・・・第１のＯリング
１８２・・・第２のＯリング
１８３・・・係合部
１８４・・・係合部
１９・・・弾性体
１１１１・・・加圧室
１１１２・・・減圧室
【図１】
0004841290.tif 000002
【図２】
0004841290.tif 000003
【図３】
0004841290.tif 000004
【図４】
0004841290.tif 000005
【図５】
0004841290.tif 000006
【図６】
0004841290.tif 000007
【図７】
0004841290.tif 000008
【図８】
0004841290.tif 000009
【図９】
0004841290.tif 000010
【図１０】
0004841290.tif 000011
【図１１】
0004841290.tif 000012
【図１２】
0004841290.tif 000013
【図１３】
0004841290.tif 000014